(57)【要約】【課題】消耗品の交換やジャム処理を容易にする印刷装置の提供。【解決手段】本体の枠体３１内にＬＥＤラインヘッド１２を備える印刷装置３０であって、本体の枠体にフロントカバーユニット（開閉カバー）７を取り付ける。一端が開閉カバーに連結され、他端が前記ラインヘッドに連結されるリンク部材８を有する。開閉カバーの開動作の際にリンク部材８の動作により、ＬＥＤラインヘッド１２を通常の使用位置から退避空間に移動させる。【選択図】  図１
2010228162.tif 000002
【特許請求の範囲】
【請求項１】
本体の枠体内にラインヘッドを備えた印刷装置であって、
前記本体の枠体の一面に取り付けられた開閉カバーと、
一端が前記開閉カバーに連結され、他端が前記ラインヘッドに連結されるリンク部材と、を有し、
前記開閉カバーの開動作の際に前記リンク部材の動作により、前記ラインヘッドを通常の使用位置から前記本体の枠体に形成されている退避空間に移動させることを特徴とする印刷装置。
【請求項２】
前記ラインヘッドに発光素子を設ける請求項１に記載の印刷装置。
【請求項３】
前記ラインヘッドに液体噴射部材を設ける請求項１に記載の印刷装置。
【請求項４】
前記開閉カバーに設けた回動支点と前記リンク部材の一端は共通のリンク回動支点に保持されており、前記開閉カバーの開閉動作と連動して前記リンク部材が往復動する請求項１ないし請求項３のいずれか１項に記載の印刷装置。
【請求項５】
前記リンク部材の他端は前記ラインヘッドの保持部材と連結されており、前記開閉カバーの開動作と連動して前記ラインヘッドの保持部材が回転動作または直線動作により通常の使用位置から前記退避空間に移動する請求項１ないし請求項４のいずれか１項に記載の印刷装置。
【請求項６】
前記ラインヘッドに近接して、用紙搬送路を設ける請求項１ないし請求項５のいずれか１項に記載の印刷装置。
【発明の詳細な説明】
【技術分野】
【０００１】
本発明は、消耗品の交換やジャム処理などのメンテナンスを容易にする印刷装置に関するものである。
【背景技術】
【０００２】
ＭＦＰ（Multi Function Product：少なくともスキャナ機能とプリンタ機能を持つ複合機）においては、装置正面側からトナー等の消耗品の交換（電子写真方式）やジャム処理（電子写真方式、インクジェット方式）を行うのが操作性の観点から望ましい。従来においては、電子写真方式では、露光にレーザーを用いるものがほとんどであったため、トナーカートリッジ交換は特に露光ユニット（レーザーユニット）に邪魔されることなく容易に行えた。また、主にモノクロＭＦＰにおいてはジャム処理をトナーカートリッジを取り出して行う構成にしているものが多いが、そのような装置においては、同様に、ジャム処理時のトナーカートリッジ取り出しも問題なく行えた。さらに、インクジェット方式においては、インクジェットヘッドが移動するシリアルヘッド方式がほとんどのため、ＪＡＭ処理時にはヘッドを用紙から退避させることができ、ＪＡＭ処理は容易に行えた。
【０００３】
ところが近年、電子写真の露光方式においてＬＥＤ等の発光素子を配置したラインヘッドを使用するものが増えており、また、インクジェットの書き込みヘッドにおいても、用紙幅の有効長を持つ固定ヘッド（ラインヘッド）を採用する機器が増加している。これらのラインヘッドは、電子写真の場合は感光体に近接して配置する必要があり、インクジェットの場合には用紙に近接配置させる必要がある。この場合、トナーカートリッジの交換やジャム処理などのメンテナンスは、ラインヘッドが物理的に干渉するため、従来のように容易には行えない。特許文献１には、ＬＥＤラインヘッドを用いた電子写真方式カラーＭＦＰが記載されている。
【０００４】
図８は、特許文献１に記載されているような従来例を示す説明図である。図８（ａ）は通常の使用状態を示す側面視の図、図８（ｂ）はトナーカートリッジ交換などのメンテナンス時の状態を示す側面視の図である。図８において、印刷装置５０は、装置本体５６に給紙トレイ５１、排紙トレイ５２、カラー４色に対応するヘッド４本が固定されたプリンタトップカバー５８が設けられている。また、装置本体５６上には、スキャナ５４、操作パネル５７が設けられており、スキャナ５４上には自動原稿送り装置５５が配置されている。スキャナ５４は、ヒンジ５３で装置本体５６と連結されており上下方向に回動自在に取り付けられている。図８の例では、消耗品交換時などのメンテナンス時に図８（ｂ）のようにスキャナ５４、自動原稿送り装置５５、および走査パネル５７を上方に跳ね上げた後、プリンタトップカバー５８を上方に開放する。このような状態でトナーカートリッジの取出しが可能になっている。
【０００５】
【特許文献１】特開２００３-１１２４４６号公報
【発明の開示】
【発明が解決しようとする課題】
【０００６】
特許文献１に記載の方式では、スキャナ５４を跳ね上げる機構が大掛かりになりコストが高くなるという問題がある。また、消耗品交換時には、スキャナ５４を跳ね上げた後、ＬＥＤヘッドを保持しているプリンタトップカバー５８を開放する必要があるので、操作が煩雑になるという問題があった。
【０００７】
本発明は従来技術のこのような問題点に鑑みてなされたものであり、その目的は、消耗
品の交換やジャム処理などのメンテナンスを容易に行える印刷装置を提供することにある。
【課題を解決するための手段】
【０００８】
上記目的を達成する本発明の印刷装置は、本体の枠体内にラインヘッドを備えた印刷装置であって、
前記本体の枠体の一面に取り付けられた開閉カバーと、
一端が前記開閉カバーに連結され、他端が前記ラインヘッドに連結されるリンク部材と、を有し、
前記開閉カバーの開動作の際に前記リンク部材の動作により、前記ラインヘッドを通常の使用位置から前記本体の枠体に形成されている退避空間に移動させることを特徴とする。
【０００９】
また、本発明の印刷装置は、前記ラインヘッドに発光素子を設ける。
【００１０】
また、本発明の印刷装置は、前記ラインヘッドに液体噴射部材を設ける。
【００１１】
また、本発明の印刷装置は、前記開閉カバーに設けた回動支点と前記リンク部材の一端は共通のリンク回動支点に保持されており、前記開閉カバーの開閉動作と連動して前記リンク部材が往復動する。
【００１２】
また、本発明の印刷装置は、前記リンク部材の他端は前記ラインヘッドの保持部材と連結されており、前記開閉カバーの開動作と連動して前記ラインヘッドの保持部材が回転動作または直線動作により通常の使用位置から前記退避空間に移動する。
【００１３】
また、本発明の印刷装置は、前記ラインヘッドに近接して、用紙搬送路を設ける。
【図面の簡単な説明】
【００１４】
【図１】本発明の実施形態を示す説明図である。
【図２】本発明の実施形態を示す説明図である。
【図３】本発明の実施形態を示す説明図である。
【図４】本発明の実施形態を示す説明図である。
【図５】本発明の実施形態を示す説明図である。
【図６】本発明の実施形態を示す説明図である。
【図７】本発明の実施形態を示す説明図である。
【図８】従来例を示す説明図である。
【発明を実施するための形態】
【００１５】
以下、図により本発明の実施形態について説明する。図７は、本発明の実施形態にかかる印刷装置の概略構成を示す側面図である。図７において、印刷装置３０は、本体３０の枠体内に給紙カセット１９、手差しトレイ２０が設けられている。７は詳細を後述するカバーユニットである。本体３０上には、スキャナ２３、ＡＤＦ（自動原稿給紙装置）２４、コントロールパネル２５が設けられている。
【００１６】
図４は、本体３０の枠体内に配置される機構の状態を示す説明図である。図４において、１はプロセスユニットでその詳細は図２で説明する。図２において、プロセスユニット１内に設けられている２はトナータンク、３は現像ローラ、４は帯電器、５は感光体、６はクリーナである。また、１４は、ＬＥＤヘッド１２の位置決めピン１３が挿入されるプロセスハウジングの基準穴である。
【００１７】
７はカバーユニットで、７ａは上板、７ｂは側板である。カバーユニット７には、給紙ガイド板３６、給紙搬送路上板３７が設けられている。また、側板７ｂはカバーユニット７が回動自在な回動支点４２に係合している。このため、図１で説明するように回動支点４２を中心として矢視Ｒ方向に回動し、カバーユニット７を開閉する。４１は開閉カバーに設けた回動支点４２とリンク部８の一端を共通に保持する。
【００１８】
８は一端が回動支点４２に係合されるリンク部、９はリンクの他端に形成されているラックギア部、１０はヘッドハウジング、１１はヘッドハウジング１０の先端に弧状に形成されたピニオン部で、ラックギア部９と係合する。回動支点４２は、一端がリンク８と係合されており、カバーユニット７の開閉と連動してリンク８を直線方向（図１矢視Ｕ方向）に移動させるリンク支点としての機能を有している。
【００１９】
１２はＬＥＤヘッド、１３はＬＥＤヘッド１２の先端ピン、１５はＬＥＤヘッド１２の押圧用バネ、１６は転写ローラ、１７は給紙ローラ、１８は両面搬送路、２１は定着部、２２は用紙排出部である。また、３３，３４は搬送ローラ、３８は搬送路下板、３２は用紙反転ローラで両面印刷の場合に片面が定着処理された用紙を両面搬送路１８に給送する。
【００２０】
３９はヘッドハウジング１０の一部でＬＥＤヘッド１２を保持するアーム部、４０はヘッドハウジング１０の回動支点を形成する回動ピンである。Ｖは本体３１内に存在する空間で、カバーユニット７を開放した時にＬＥＤヘッド１２を退避させる空間であある。
【００２１】
図１は、消耗品の交換などのメンテナンス時に、回動支点４２を中心としてカバーユニット７を矢視Ｒの下方向に回動して、本体３１からカバーユニット７を開放した状態を示す説明図である。図１の状態は、図４の通常状態からカバーユニット７がほぼ１００度回動している。リンク部材８は一端が回動支点４２と連結されているので、カバーユニット７を矢視Ｒの下方向に回動した際に生じる引張力で矢視Ｕの前方に引き出される。
【００２２】
また、リンク部材８の他端に形成されているラックギヤ部９も矢視Ｕの前方に引き出され、ラックギヤ部９に係合しているピニオン部１１が矢視Ｓの下方向に回動する。このため、ＬＥＤヘッド１２の先端ピン１３はプロセスハウジングの基準穴１４から離脱し、アーム３９は上方向に移動する。
【００２３】
このようにして、ＬＥＤヘッド１２が通常状態の位置から退避して、本体３１のフロント側が開放されているので、必要に応じてプロセスユニット１を本体３１の外部に取り出すことができる。図２は、図１の状態で、プロセスユニット１を本体３１の外部に取り出した状態を示す説明図である。このようにして、ジャム処理や消耗品の交換、部材の保守、点検などのメンテナンスが支障なく行なえる。
【００２４】
図５は、図４の例と異なる実施形態を示す説明図である。図５の例においては、図４に示したリンク８の他端側のＬＥＤヘッド１２を退避させる機構の厚生が異なる。それ以外のプロセスユニット１やカバーユニット７、用紙の搬送経路などの構成は図４と同じであるので、詳細な説明は省略する。図５の９ａは、リンク部材８ｘの本体３１内部側端部に連結されている直線状のラック、３９ａはヘッドハウジング１０ｘのアームであり、ヘッドハウジング１０ｘのアームの一端は回動支点４０ｘでリンク部材８ｘに支持されている。また、ヘッドハウジング１０ｘは、回動支点４０ｙを回動支点として回動自在に構成
されている。ヘッドハウジング１０ｘの先端弧状部には、直線状のラック９ａと噛み合うピニオン１１が形成されている。
【００２５】
カバーユニット７を矢視Ｒの下方向に回動してカバーユニット７を開放すると、リンク
８ｘがカバーユニット７の開動作と連動してを矢視Ｕｘの前方に引き出される。すと、リンク８ｘが矢視Ｕｘの前方に引き出されると、ヘッドハウジング１０ｘのアーム３９ａが回動支点４０ｙを回動支点として回動してヘッドハウジング１０ｘの直線状のラック９ａと噛み合っているピニオン１１がヘッドハウジング１０ｘのラック９ａを直線状に矢視Ｔの上方向に駆動移動する。この動作により、ヘッドハウジング１０ｘに取り付けられているＬＥＤヘッド１２は、矢視Ｔの上方向に移動し退避空間Ｖｘの位置に収納される。
【００２６】
図３は、本発明の異なる実施形態を示す説明図である。図３の例では、リンク部材８ａの他端側は、アーム３９ａと回動ピン４０ａを介して直接に係合している。プロセスユニット１やカバーユニット７、用紙の搬送経路などの構成は図４と同じであるので、詳細な説明は省略する。この例では、カバーユニット７を矢視Ｒの下方向に回動してリンク８ａを矢視Ｕａの前方に引き出すと、アーム３９ａは回動ピン４０ａを支点として矢視Ｓａの上方向に移動し、ＬＥＤヘッド１２は退避空間Ｖａの位置に収納される。図１〜図５の例では、ラインヘッドにＬＥＤを設けているが、例えば有機ＥＬ素子のような他の発光素子を設けたラインヘッドでも良い。
【００２７】
図１〜図５は、ラインヘッドとしてＬＥＤのような発光素子を用いた例であるが、本発明はインクジェットや液体などを吐出する液体噴射部材を設けたラインヘッドを用いた場合にも適用される。図６は、ラインヘッドとしてインクジェットを用いた例の説明図である。図６の印刷装置６０は、図４のＬＥＤを用いたラインヘッドにおける印刷装置３０の構成と対比すると、プロセスユニット１に代えてインクタンクラインヘッド６２、インクジェット６３を設けた点が相違する。また、用紙搬送路には用紙搬送ベルト６４を設け、用紙搬送ベルト６４の上方にインク乾燥用のファン６５を設けている。
【００２８】
図６の構成では、図４で説明したラインヘッドの退避機構（リンク８、ラック９、ピニオン１１など）の図示を省略しているが、ラインヘッドの退避機構は、図１〜図５で説明した発光素子を用いたラインヘッドの例と同様の構成が採用できる。このような例では、カバーユニット７を矢視Ｒの下方向に回動してリンクをフロントカバーの前方に引き出すと、インクジェットラインヘッド６２は矢視Ｓ方向の上方向に回動し、破線６１の退避位置に収納される。図６の例でも、本体３１の枠体内には、インク乾燥用のファン６５の点検やジャム処理などのメンテナンス時にインクジェットラインヘッド６２が退避する空間が存在している。図１〜図６の構成で説明したリンク部材８の他端と、ラインヘッドの保持部材との連結部材は、ギア、チェーン、ラック、ピニオンのいずれか、またはこれらの部材の組み合わせで構成される。
【００２９】
これまでの説明では、カバーユニット７の開閉動作に連動してリンク部材が直線状に本体の枠内を移動するものとしていた。本発明においては、本体の枠体の一面、例えばフロント面に取り付けられた単板の開閉カバーにリンク部材を連結する構成でも良い。本発明は、モノクロの電子写真方式のＭＦＰ、またはインクジェット方式のＭＦＰに好適である。印刷装置のメンテナンスが必要な場合には、ラインヘッドに干渉することなく、プロセスユニットは容易に取り出すことができ、容易に交換可能となる。また、インク乾燥ファンなどの保守、点検が必要な部材へのアクセスも容易に行える、さらに、印刷装置のフロントカバーオープンの動作に連動してラインヘッドが退避するため、スキャナー跳ね上げ等の大掛かりな装置、動作が不要となり、機器の低コスト化、小型化、操作性向上が実現できる。
【００３０】
以上、本発明の印刷装置をその原理と実施例に基づいて説明してきたが、本発明はこれら実施例に限定されず種々の変形が可能である。
【符号の説明】
【００３１】
１・・・プロセスユニット、２・・・トナータンク、３・・・現像ローラ、４・・・帯電器、５・・・感光体、６・・・クリーナ、７・・・カバーユニット、８・・・リンク部材、９・・・ラックギア、１０・・・ヘッドハウジング、１１・・・ピニオン、１２・・・ＬＥＤヘッド、１３・・・位置決めピン、１４・・・基準穴、１５・・・ＬＥＤヘッド１２の押圧用バネ、１６・・・転写ローラ、１７・・・給紙ローラ、１８・・・両面搬送路、２１・・・定着部、２２・・・用紙排出部、３０、６０・・・印刷装置、３１・・・本体、３２・・・反転ローラ、３３，３４・・・搬送ローラ、４０・・・回動ピン、４１・・・リンク回動支点、
４２・・・回動支点、６２・・・インクジェットラインヘッド、６３・・・インクタンク、６４・・・用紙搬送ベルト、６５・・・インク乾燥用ファン、
【図１】
2010228162.tif 000003
【図２】
2010228162.tif 000004
【図３】
2010228162.tif 000005
【図４】
2010228162.tif 000006
【図５】
2010228162.tif 000007
【図６】
2010228162.tif 000008
【図７】
2010228162.tif 000009
【図８】
2010228162.tif 000010